(57)【特許請求の範囲】
【請求項１】
第１及び第２の化学ルミネセンス成分を含む中空室を有する成形されたハウジングであって、それらの化学ルミネセンス成分が混合したときに化学ルミネセンス光をそのハウジングを通して透過させるように構成され、配置されたハウジング；及び
該ハウジングを完全に取り巻きまたその形状に従うように構成され、配置された外側ジャケット；
を組合わせて含み、それらの化学ルミネセンス成分の混合を生じさせるに足りる力を加えることにより、化学ルミネセンス反応が開始され、同時に該外側ジャケット裂け目帯域に沿って裂けさせ、それにより該外側ジャケットの即時脱皮をなさしめることを特徴とする化学ルミネセンス照明装置。
【請求項２】
不透明な外側ジャケットが熱収縮性ポリマーである請求項１による化学ルミネセンス照明装置。
【請求項３】
熱収縮性ポリマーが、ポリ塩化ビニル、ポリオレフィン、ポリエチレンテレフタレート、グリコールポリエチレンテレフタレート、ポリテトラフルオロエチレン、及びポリ弗化ビニリデンからなる群より選択される請求項２による化学ルミネセンス照明装置。
【請求項４】
熱収縮性ポリマーが、有効量の難燃剤をさらに含む請求項２による化学ルミネセンス照明装置。
【請求項５】
熱収縮性ポリマー外側ジャケットが０．０５０８−０．３０４８ｍｍ（０．００２”−０．０１２”）の範囲の壁厚を有する請求項２による化学ルミネセンス照明装置。
【請求項６】
外側ジャケットが部分的に不透明である請求項１による化学ルミネセンス照明装置。
【請求項７】
外側ジャケットが不透明である請求項１による化学ルミネセンス照明装置。
【請求項８】
裂け目帯域が、化学ルミネセンス照明装置への収縮付着前に加えられた刻み目マークである請求項１による化学ルミネセンス照明装置。
【請求項９】
その裂け目帯域がさらに、刻み目マーク、ミシン目または同等な裂けを伝搬もしくは開始する手段として、定義される請求項１による化学ルミネセンス照明装置。
【請求項１０】
その裂け目帯域が外側ジャケットに沿って軸方向に伸びている刻み目線である請求項１による化学ルミネセンス照明装置。
【請求項１１】
その裂け目帯域が外側ジャケットに沿って、そのジャケットの壁厚の約半分に等しい深さで軸方向に伸びている刻み目線である請求項１による化学ルミネセンス照明装置。
【請求項１２】
外側ジャケットがハウジングに対して剛性を与える請求項１による化学ルミネセンス照明装置。
【請求項１３】
中空室が、化学ルミネセンスオキサレート成分及び化学ルミネセンス活性化成分のうちの一方を含み、そして化学ルミネセンスオキサレート成分及び化学ルミネセンス活性化成分のうちの他方を含有するアンプルをさらに含み、かくして化学ルミネセンス照明装置は、該アンプルが破壊し、該化学ルミネセンスオキサレート成分及び化学ルミネセンス活性化成分を混合せしめる時に化学ルミネセンス反応を開始させるようになっている請求項１による化学ルミネセンス照明装置。
【請求項１４】
中空室が、さらに、化学ルミネセンスオキサレート成分及び化学ルミネセンス活性化成分のうちの一方で満たされた第１中空室及び化学ルミネセンスオキサレート成分及び化学ルミネセンス活性化成分のうちの他方で満たされた第２中空室として定義され；その第１及び第２中空室がもろいかまたは取り除ける隔壁により分離されており；かくして化学ルミネセンス照明装置は、該隔壁が破壊しまたは取り除かれ、該化学ルミネセンスオキサレート成分及び化学ルミネセンス活性化成分を混合せしめる時に化学ルミネセンス反応を開始させるようになっている請求項１による化学ルミネセンス照明装置。
【請求項１５】
外側ジャケットに付けられた記述標識をさらに有する請求項１による化学ルミネセンス照明装置。
【請求項１６】
該ハウジングの支持契合のための照明装置ホルダーをさらに含み；そのホルダーが該ハウジングを支持的にかつ取り外し可能に契合するための手段を有し；かくしてそのホルダーから該装置を取り外すと、その装置の活性化及び同時の外側ジャケット除去がなされる請求項１による化学ルミネセンス照明装置。
【請求項１７】
迅速配備のための化学ルミネセンス照明装置を包装する方法であって：
裂け目帯域を有する熱収縮性ポリマージャケット内に化学ルミネセンス照明装置を挿入し；
そのジャケットに対して熱源を適用し、それによりタイトに従う外側ジャケットを生じさせ；そして
複数の化学ルミネセンス照明装置を高密度形態に束ね；
それにより、該装置の活性化及び該ジャケットの取り除きが一段で達成されて迅速な配置をできるようにする、上記包装方法。
【発明の詳細な説明】
【０００１】
【発明の属する技術分野】
本発明は、化学ルミネセンス照明の分野に関し、さらに詳しくは、貯蔵性を与え、装置活性化の時の包装の同時除去を可能とする改善された化学ルミネセンス装置包装に関する。
【０００２】
【従来の技術】
化学ルミネセンス照明装置は、オキサレートと活性化剤との化学反応の時に光を生じることができる。化学ルミネセンス装置からの光の生成は、従来から触媒添加した過酸化水素混合物（活性化剤）とオキサレートとの反応に基づいている。化学ルミネセンス反応により光を作り出すための多様な化学薬剤が知られている。黄色光を発生する典型的な市販化学ルミネセンス装置は、下記の成分から作り出すことができる：フタル酸ジブチル６６．４５％；フタル酸ジメチル２０−３５％；ＣＰＰＯビス（２、４、５−トリクロロ−６−カルボペントキシフェニル）オキサレート８．３３％；ｔ−ブチルアルコール３．３％；９０％過酸化水素水１．３２％；ＣＢＰＥＡ  １−クロロ−９、１０−ビス（フェニルエチニイル）アンスラセン０．２３％及びサリチル酸ナトリウム０．００２５％。
【０００３】
活性剤薬品は、典型的には壊れたときに、化学ルミネセンス光を発生するためにオキサレート薬剤と混合するように、壊すことができるビンに入れられている。活性化剤及びオキサレートの位置は、交換できる。この種のタイプの装置の目的は、使用可能な光出力を作り出すことであるから、容器は、化学ルミネセンス装置で作られた光を容器の壁を通して通過させるポリエチレンまたはポリプロピレンのような清澄なまたは透明な材料から作られる。
【０００４】
化学ルミネセンス照明装置は、フラシュライト（懐中電灯）やフレアのような慣用照明装置の補充及び／または置き換えとして一般に使用される。化学ルミネセンス照明装置は、非白熱光製品であり、通常のでんりょくサービスが中断された時のような非常照明応用のために最もかちがある。停電には、しばしば嵐、洪水、ハリケーン（暴風）、火災、地震等の自然災害が伴う。さらには、化学ルミネセンス照明装置は、操作のために電気に依存しないから、電力装置がショートして破損してしまう、湿潤条件下で、水の下でさえも、容易にかつ信頼性をもって使用される。
【０００５】
また化学ルミネセンス照明装置にとってユニークなことは、熱発生なしで光を生じることである。化学ルミネセンス照明装置は、電気的に操作されず、あるいは燃焼源でないので、前記の災害の如き非常事態に理想的に適合される。例えば、ガソリンまたは天然ガスのような可燃性蒸気が存在しうる状態において、ろうそく、カンテラまたは懐中電灯でさえも、潜在的な発火源として極度の危険を引き起こす。
【０００６】
化学ルミネセンス照明装置の利点の一つは、必要に応じて光を与えうることである。しかし、化学ルミネセンス反応を起こす化学薬剤は、時機尚早の劣化を防ぐために、適切に保護されなければならない。化学ルミネセンス薬剤は、分解を受けやすいが、もし遮光されていると、適切に貯蔵されると最適な照明が期待されうる。この理由で、化学ルミネセンス照明装置は、アルミニウム箔で包装されることがある。従来の化学ルミネセンス照明装置を活性化させるには、そのアルミニウム箔を引き裂いて開け、装置からパッケージを取り除き、次いで装置を活性化させて化学反応及びそれによる照明生じさせなければならない。
【０００７】
もしも化学ルミネセンス照明装置が箔包装から取り出される前に故意でなく活性化されたとすれば、全ての有用な照明を消費してしまうことになろう。時機尚早の活性化は、該装置製品を誤って取り扱って箔包装を破損することなくアンプルを壊してしまうと、起こりうる。箔包装技術は、包装を破ることなくアンプルの破損をもたらしうる照明装置の撓曲を生じうるようにする。例えば、化学ルミネセンス照明装置は、一般的に、フレア照明の代替物として緊急キットとして貯えられており、そのような場合には誤った取り扱いが起こる可能性があり、ある物体が装置を撓曲させ、そのために包装には明らかな破損がなくても化学ルミネセンス照明装置の活性化が開始してしまうことになりうる。その結果は、化学ルミネセンス照明装置がその有用な寿命を消耗してしまい、それが必要とされる時に、もはや機能しなくなってしまう。製品包装は、典型的には、いかに化学ルミネセンス薬剤を光から保護して製品貯蔵寿命を長引かせるかである。例えば、化学ルミネセンス照明スティック（棒状体）のための製品包装は、自然光または人工光のいずれもの光劣化から化学ルミネセンス薬剤を遮蔽するために、光学的に不透明な、金属箔／プラスチックフィルムラミネートから製造されてきた。光劣化から化学ルミネセンス製品を保護する別の方法は、化学ルミネセンス装置を、バルク状態で（まとめて）、金属バケットあるいは厚紙筒内に包装することである。いずれの場合にも、外部包装材は、それが箔ラッパーであっても厚紙筒であっても、一旦開封または破損されると、光が化学薬剤に当たって光劣化をもたらすことになりうる。
【０００８】
【発明が解決しようとする課題】
従って、先行包装技術による一つの問題は、化学ルミネセンス製品の時機尚早な活性化を遮断するための包装体内に化学ルミネセンス照明装置を隠蔽することである。さらには、もしも化学ルミネセンス照明装置が破損したとすれば、それは包装外装を取り除かなければ見ることができない。
【０００９】
別の問題は、箔包装材を取り除くために両手を用いる必要があることである。例えば、暗闇の家庭で、緊急照明装置として化学ルミネセンス照明装置を使用とするならば、暗闇で包装を解くのが困難であることが分かるであろう。この問題は、使用者が子供、老人あるいはその他の身体障害者である時には、一層大きくなり、そのような場合に箔ラッパーを裂いて開封する能力は、暗い条件下では更に難しくなる。多くの製造業者は、縁に鋸歯状切り込みを付けているが、包装の開封には両手が必要である。
【００１０】
緊急事態の時に人の手が濡れていたり、弱くなっていたりするとすれば、この余分の手間は、照明装置を使用不能とさせることがある。緊急事態に際して、活性化に先立って、化学ルミネセンス照明装置を箔ラッパーから取り出すのは非実用的である。また、バルク状に包装された製品のバケットあるいは厚紙筒を開封するために、道具は容易に入手できないこともあろう。さらには、金属箔は、長期の水分存在下で腐食されやすく、このことはこのような事例における製品の有効な応用を制限する。同様に、もしもそのような装置が救命いかだで使用される場合には、濡れた手あるいは手袋を付けた手は、直ちに活性化が必要とされる時に、箔包装材の開封を最も難しくするであろう。
【００１１】
従って先行技術において欠如しているものは、破損を表示することができ、ならびに包装の簡単な取り外しをすることができる化学ルミネセンス照明装置包装である。もしも本開示に従って包装されたとすれば、化学ルミネセンス照明装置の活性化は、部分的ないしは完全な包装の取り外しをもたらす。
【００１２】
【課題を解決するための手段】
本発明は、化学ルミネセンス照明装置を貯蔵条件に確保するための改善された包装に向けられている。殊に、本包装は、化学ルミネセンス薬剤を光劣化から保護しそれと共に若干の剛性をも与える収縮ラップされた、不透明ないしは近不透明のジャケットからなっている。ＰＶＣフィルムまたは同様な熱−ラップ−プラスチックは、光を妨げることができ、また化学ルミネセンス照明装置の外側形状に接着することができる。タイト接着性ラッピング材も、多数の化学ルミネセンス照明装置を高密度形態に束ねることができる。これは、例えば輸送中のように、スペースが重んじられる場合に、特に有用である。多量の収縮ラップされた照明装置を比較的小面積内に詰めるられ、それにより輸送コストを低減しかつおそらくは破損を減少させることは、明らかな利点である。
【００１３】
好ましい具体化例において、ジャケットは、化学ルミネセンス照明装置に被せて配置した形状従属材料から作られる。その材料は、熱風を吹き付けると化学ルミネセンス照明装置の外側形状に従う。熱−ラップ−プラスチックフィルムは、収縮して、化学ルミネセンス照明装置の周囲にタイトなジャケットを与える。ジャケットの端部は加熱処理中に変形されて、それらの端部を通しての光の透過を防止するようにでき、あるいは他の手段で封じられる。さらに、ジャケットはジャケット材料の厚さのほぼ半分の深さまで刻み目を付けられる。
【００１４】
活性化の開始のために、化学ルミネセンス照明製品は、折り曲げることにより、あるいはハウジングを硬い物体に打ち付けることにより活性化される。化学ルミネセンス照明製品の活性化を引き起こすのに必要とされる力は、アンプルの破壊を生じさせるのに足りるハウジングの撓みをもたらす。ジャケットは、ハウジングが曲げられた時に、シームラインに沿って裂けて開口する。
【００１５】
この様にして、化学ルミネセンス照明製品の活性化は、包装材の同時開口をもたらす。残っている包装材は、次いでハウジングからジャケットの残りの部分を引き剥がすことにより除去できる。これは、手袋をはめた手であっても、片手で行うことができる。緊急事態の時に、包装材を取り除き可能であることは、枢要である。先行技術装置の多段階展開が煩わしくあるいは、時間消費的である不都合な条件下において、片手取り除きは、包装材を取り除くことができる唯一の方式でありうる。
【００１６】
包装ジャケットの破壊は、化学ルミネセンス照明装置ホルダーの使用によって、更に促進されうる。この具体例において、化学ルミネセンス照明装置は、最初に、ホルダーのブリッジを横切って置かれる。使用者は化学ルミネセンス照明装置を握り、それをホルダーから取り外すのに充分に撓ませる。この様にすると、ホルダーからの取り外し中に、化学ルミネセンス照明装置の活性化がもたらされ、またジャケットの部分的または完全な除去がもたらされる。
【００１７】
本発明の一目的は、化学ルミネセンス照明装置の活性化の時に、同時除去が可能な化学ルミネセンス照明装置包装を提供することである。
本発明のさらなる目的は、以前の取り扱いからの化学ルミネセンス照明装置の状態の指示を与え、低廉で適用される包装方法を開示することである。
【００１８】
本発明のさらなる目的は、片手取り除き、迅速な展開及び活性化をできるようにする収縮ラップタイプの包装の使用を教示することである。
さらなる目的は、化学ルミネセンス照明装置のコンパクト貯蔵を可能とする包装を開示することである。
【００１９】
本発明のその他の目的及び利点は、本発明のいくつかの具体化例を説明及び例示の目的で、挙げている添付図面を参照しての以下の説明から明らかとなろう。これらの図面は明細書の一部をなすものであり、本発明の典型例を含み、そしてそれの種々の目的及び特徴を例示する。
【００２０】
本発明の特定の形態を例示するが、本発明はここに記載され図示された特定の形態や、部品配列に限定されるものではないことは、了解されるべきである。当業者にとって、多様な変更が本発明の範囲を逸脱することなく行えること、そして本発明はここに図面及び説明で示されたものに限定されるべきでないことは、明白であろう。
【００２１】
図１を参照すると、本出願人の商標”ＣＹＡＬＵＭＥ”で販売されている化学ルミネセンス照明装置１０が示されている。化学ルミネセンス剤混合物のオキサレート部分を含むアンプル１２が、化学ルミネセンス剤混合物の活性剤部分１６をさらに収容しているハウジング、あるいは外側容器１４内に封入されて示されている。
【００２２】
多数のタイプのハウジングがあることは、明記されるべきである。例えば図２を参照すると、別の化学ルミネセンス照明装置２０が示されており、これでは外側容器２４が、第一及び第二中空室を限定しており、第一中空室２６は、化学ルミネセンス剤のオキサレート成分あるいは活性化剤を含み、そして第二中空室２８は、第二化学ルミネセンス剤のオキサレート成分あるいは活性化剤で満たされている。それらの室は、脆い隔壁かまたは取り外せる隔壁３０によって分離され、かくして、照明装置は、その隔壁が破壊または取り外され、それにより化学ルミネセンス剤のオキサレート成分と活性化剤との混合が許される時に、活性化を得ることができる。
【００２３】
便宜のため以下の具体例は図１の具体例を参照して説明されるが、あらゆるタイプの化学ルミネセンスハウジングを導入することは本発明の範囲内である。
ここで図３を参照すると、化学ルミネセンス照明装置１０は、アルミニウムのジャケット外側ラッパー３２を有し、一部切り欠き図として示されている。化学ルミネセンス剤混合物のオキサレート部分を含むアンプル１２が、化学ルミネセンス剤混合物の活性剤部分１６を収容している外側容器１４内に配置されている。外側ラッパーは、緩い係合であることがわかる。これは化学ルミネセンス照明装置の進入及び退出の容易のために必要である。アルミニウムのジャケットの端部３４がひだ付けされ、シールされて、容器に光が入り込むのを防止する。
【００２４】
ここで図４を参照すると、熱収縮性形従属性フィルムから作られたジャケット４２でラップされた化学ルミネセンス照明装置１０が示されている。化学ルミネセンス照明装置を包囲するのに使用される熱収縮性ジャケットは、種々の公知熱収縮性材料から作ることができる。それらの中でも、ＰＶＣ（ポリ塩化ビニル）、ポリオレフィン、ＰＥＴ（ポリエチレンテレフタレート）、ＰＥＴ−Ｇ（グリコールＰＥＴ），ＰＴＦＥ（ポリテトラフルオロエチレン）、ＰＶＤＦ（ポリ弗化ビニリデン）がある。これらの材料のいくつかまたはすべては、所望により有効量の難燃剤を添加導入されうる。形従属性フィルムジャケット４２は、ジャケット材料の厚さのほぼ半分の深さまで侵入している刻み目マーク、パーホレーション、その他の裂け伝搬または開始手段４４を含んでいる。熱収縮性ジャケットの壁厚は、約０．００２インチ−０．０１２インチ（０．０５０８−０．３０４８ｍｍ）であるが、その材料がハウジング内の化学ルミネセンス薬剤の光による劣化分解を防止するのに足りる不透明性を有することを条件とする。化学ルミネセンス照明装置は、フィルムに挿入され、次いで高温空気、スチーム、または放射熱に付されて、熱収縮性フィルムを接触させ、下にある化学ルミネセンス照明装置の周囲を完全に取り囲み、その形状に密接に対応するタイトに契合する包装をなすコンパクト・シース（鞘）を形成せしめる。化学ルミネセンス照明装置の周囲にその材料が極めてタイトに係合しているので、そのラップ材に含まれる刻み目（裂け目）マーク、パーホレーション、その他の裂け伝搬または開始手段と一緒になって、裂け目帯域が形成されて、内部アンプルを破壊し、化学ルミネセンス薬剤の混合を生じさせるに足りる衝撃または撓みは、ラッピング材を刻み目ラインのところで破壊させ、直ちに脱皮させることとなろう。この特徴は、二重の目的を有する。第一に、それによって、使用者が一つの迅速なかつ簡単な動作で包装材容易に取り除き、活性化できるようにし；第二に、それは、化学ルミネセンス照明装置がまだ実際に使用できるかどうかを見極める保証を与えるのに足りる、以前に受けた撓みの指示機能を果たすことである。
【００２５】
熱風を熱収縮性フィルムノ両端部に向けて吹き付けて、それらの端部が化学ルミネセンス照明装置の端部４６の周りにタイトに従い、光が進入しまた化学ルミネセンス薬剤を劣化させるのを防止するようにする。
【００２６】
熱収縮性材料は、容易に印刷可能であるという利点をあたえる。写真グラビア、フレキソ印刷、パッド印刷、シルクスクリーン法その他の公知印刷法によって、記述的標識が都合よくその材料に印刷できる。
【００２７】
図５を参照すると、照明装置ホルダー５０が示されている。このホルダーは、照明装置の長さにほぼ等しい長さのブリッジ５２、及び二つの直角な脚５４および５６を限定している。このホルダーは、化学ルミネセンス照明装置１０を保持するために利用され、化学ルミネセンス照明装置は凹所５８および６０に支持的かつ解放可能に係合されている。このホルダーは、迅速に展開（配備）しうる照明装置を設けるのが望まれる衣類物品、壁、作業台、その他いずれの場所にも都合よく取り付けられる。照明装置が必要とされる状態が生じたときには、使用者は典型的には、その照明装置をつかみ、ホルダーから照明装置を力一杯引き離し、それによって照明装置を動かす間に充分な撓みを生じさせ、また同時に化学ルミネセンス薬剤の混合を生じさせそして外側ラッパーを取り除く。
【００２８】
当業者は、上述の特定具体例の多様な変形態様が、本発明の精神から逸脱することなく実施されうることを了承しよう。
【図面の簡単な説明】
【図１】先行技術化学ルミネセンス照明装置の断面図。
【図２】別の先行技術化学ルミネセンス照明装置の断面図。
【図３】アルミニウムジャケットを有する標準的化学ルミネセンス照明装置の切り欠き図。
【図４】熱−ラップ−プラスチックジャケットを有する化学ルミネセンス照明装置の見取り図。
【図５】化学ルミネセンス照明装置を挿入保持した化学ルミネセンス照明装置ホルダーの見取り図。
【符号の説明】
１０      化学ルミネセンス照明装置
１２      アンプル
１４      ハウジング
３２      ジャケット
４４      裂け目（刻み目）マーク
５０      照明装置ホルダー
【図１】
0004287954.tif 000002
【図２】
0004287954.tif 000003
【図３】
0004287954.tif 000004
【図４】
0004287954.tif 000005
【図５】
0004287954.tif 000006